(57)【要約】      （修正有）【課題】ページを確実に押さえることができ、しかもページを簡単に捲ることができるクリップ式しおりの提供する。【解決手段】書籍、手帳、メモなどの積層体Ｓを挟む第１クリップ部１と、第１クリップ部１の上面において９０度以上に開くことが可能な態様で開閉可能に設けられ、かつ第１クリップ部１との間に積層体Ｓの一ないし複数のページを挟む第２クリップ部２と備えてなる。第１のクリップ部１により積層体Ｓに固定しつつ、第２クリップ部２によりページを確実に押さえることができる。また、第２クリップ部２が９０度以上回転するので、しおりを積層体Ｓから外したりずらしたりすることなくページを簡単に捲ることができる。【選択図】図１
0003114399.tif 000002
【実用新案登録請求の範囲】
【請求項１】
書籍、手帳、メモなどの積層体を挟む第１のクリップ部と、該第１のクリップ部の上面において９０度以上に開くことが可能な態様で開閉可能に設けられ、かつ前記第１のクリップ部との間に前記積層体の一ないし複数のページを挟む第２のクリップ部とを備えてなることを特徴とするクリップ式しおり。
【請求項２】
前記第１のクリップ部の両先端部には、それぞれ操作金具が長さ方向に回転する態様に設けられている請求項１に記載のクリップ式しおり。
【請求項３】
前記第１のクリップ部の上面に筒状部が設けられ、それら筒状部の内側開口部付近の上部から下部にかけて長さが短くなるように形成されており、第２のクリップ部の基端部に設けられた回転軸が前記筒状部に回転可能に挿入されている請求項１または請求項２に記載のクリップ式しおり。
【請求項４】
前記第１のクリップ部の背面において移動板部が上下に移動可能な態様で設けられ、該移動板部の上部に前記第２のクリップ部が開閉可能に設けられている請求項１ないし請求項３のいずれかに記載のクリップ式しおり。
【請求項５】
前記第２のクリップ部は、その先端部が上方に屈曲されている請求項１ないし請求項４のいずれかに記載のクリップ式しおり。
【請求項６】
前記第２のクリップ部は、その内側が抜かれた状態に形成されている請求項１ないし請求項５のいずれかに記載のクリップ式しおり。
【請求項７】
前記第１のクリップ部、第２のクリップ部、あるいは移動板部にペンを保持するペンホルダーが設けられている請求項１ないし請求項６のいずれかに記載のクリップ式しおり。
【請求項８】
前記第１のクリップ部の下面において９０度以上に開くことが可能な態様で開閉可能に設けられ、かつ前記第１のクリップ部との間に前記積層体の一ないし複数のページを挟む第３のクリップ部が設けられている請求項１ないし請求項７のいずれかに記載のクリップ式しおり。
【考案の詳細な説明】
【技術分野】
【０００１】
本考案は、書籍、手帳、メモなどの積層体に用いられるクリップ式しおりに関する。
【背景技術】
【０００２】
従来、書籍、手帳、各種資料などに用いられるしおりとして様々なものが提案されており、その中でも使い勝手の良さからクリップを利用したしおりが知られている。例えば、主に本の表紙に取り付け、取り付け位置の移動によりページだけではなくページ中の局部をも指定できることと、クリップで表紙カバーのずれ防止およびしおりが本から脱落することを防止したしおりがある（特許文献１参照）。あるいは、複数の紙などの積層材が積層された積層体における被挟持部を、少なくとも複数のシートにより挟んで固定されるよう形成された内しおりと、内しおりに対向して内しおりの外側に形成された、積層体の目印部位に接する本体しおりとを含み、内しおりの一端にて外向きに突出された突出部分の一部において、本体しおりが内しおりと対向した状態において本体しおりの一端が固着されたしおりがある（特許文献２参照）。
【特許文献１】実開平６−２７１７４号公報
【特許文献２】特開２００１−５４９９１号公報
【考案の開示】
【考案が解決しようとする課題】
【０００３】
しかしながら、上述のクリップ式しおりでは、ページを押さえる部分が固定されているか、あるいは板ばねにより多少開くことができる程度であるため、しおりを付けた状態ではページを捲りにくかった。このため、わざわざ本などからしおりを外したり、ずらしたりするか、あるいはページを無理にめくるとページを傷つけるという問題があった。また、ページ数が少なくなると、ページを十分におさえることができず、ページを開いた際に勝手にページが捲れることがあるという問題もあった。
【０００４】
本考案は、上述の問題に鑑みてなされたものであって、ページを確実に押さえることができ、しかもページを簡単に捲ることができるクリップ式しおりの提供を課題とする。
【課題を解決するための手段】
【０００５】
本考案は、上記課題を解決するために、書籍、手帳、メモなどの積層体を挟む第１のクリップ部と、該第１のクリップ部の上面において９０度以上に開くことが可能な態様で開閉可能に設けられ、かつ前記第１のクリップ部との間に前記積層体の一ないし複数のページを挟む第２のクリップ部とを備えてなることを特徴とする。
【０００６】
これによれば、第１のクリップ部により書籍などに固定しつつ、第２のクリップ部によりページを確実に押さえることができる。また、第２のクリップ部が９０度以上回転するので、しおりを書籍などから外したりずらしたりすることなくページを簡単に捲ることができる。
【０００７】
また、前記第１のクリップ部の両先端部には、それぞれ操作金具が長さ方向に回転する態様に設けられているのが好ましい。これによれば、両操作金具を開いて第１のクリップ本体に対して力を加えれば、てこの原理により第１のクリップ部が開くので、表紙やページ等を簡単に挟んでしおりを固定することができる。そして、表紙やページ等を挟んだあとは、両操作金具を閉じれば、ページから操作金具が突出することなくページ内に収めることができる。
【０００８】
また、前記第１のクリップ部の上面に筒状部が設けられ、それら筒状部の内側開口部付近の上部から下部にかけて長さが短くなるように形成されており、第２のクリップ部の基端部に設けられた回転軸が前記筒状部に回転可能に挿入されているのが好ましい。これによれば、第２のクリップ部を閉じた場合にはページを確実に押さえることができるとともに、第２のクリップ部を簡単かつ確実に開くことができる。
【０００９】
また、前記第１のクリップ部の背面において移動板部が上下に移動可能な態様で設けられ、該移動板部の上部に前記第２のクリップ部が開閉可能に設けられているのが好ましい。これによれば、第１のクリップ部と第２のクリップ部との間隔を簡単に調節することができ、ページ数の少ない薄い積層体からページ数の多い厚い積層体まで適用可能となる。
【００１０】
また、前記第２のクリップ部は、その先端部が上方に屈曲されているのが好ましい。これによれば、屈曲した先端部をつまみ上げることにより、第２のクリップを簡単に開くことができる。
【００１１】
また、前記第２のクリップ部は、その内側が抜かれた状態に形成されているのが好ましい。これによれば、第２のクリップ部の内側にあたる部分の文字や図柄をそのまま閲覧することができる。
【００１２】
また、前記第１のクリップ部、第２のクリップ部、あるいは移動板部にペンを保持するペンホルダーが設けられているのが好ましい。これによれば、本クリップ式しおりにペンを保持することができ便利である。
【００１３】
また、前記第１のクリップ部の下面において９０度以上に開くことが可能な態様で開閉可能に設けられ、かつ前記第１のクリップ部との間に前記積層体の一ないし複数のページを挟む第３のクリップ部が設けられているのが好ましい。これによれば、一つのしおりで２箇所のページを押さえることができ便利である。
【考案の効果】
【００１４】
本考案によれば、第１のクリップ部により書籍などに固定しつつ、第２のクリップ部によりページを確実に押さえることができる。また、第２のクリップ部が９０度以上回転するので、しおりを書籍などから外したりずらしたりすることなくページを簡単に捲ることができる。
【００１５】
このため、しおりがワンタッチで開閉することができ、しおりを外すことなく片手でページを捲ることができる。また、しおり自体は第１クリップ部により積層体に固定しているので脱落することを防止でき、しかもメモや薄い物でも挟んでおくことができる。さらに、第２クリップ部は上から押さえているだけなので、ページを傷めることがない。
【考案を実施するための最良の形態】
【００１６】
次に本考案の第１の実施形態について説明する。
【００１７】
図１は、本実施形態に係るクリップ式しおり（Ａ）の斜視図である。
【００１８】
このクリップ式しおり（Ａ）は、書籍、手帳、メモなどの積層体（Ｓ）を挟む金属製の第１クリップ部（１）と、該第１クリップ部（１）の上面に設けられた金属製の第２クリップ部（２）とからなる。なお、第１クリップ部（１）および第２クリップ部（２）は金属製でなく、合成樹脂製などその他の材質で形成されてもよい。
【００１９】
前記第１クリップ部（１）は、やや短めに形成された上側板部（１１）と、該上側板部（１１）よりも長めに形成された下側板部（１２）とからなり、互いに対向しながら各基端部がやや開閉可能な状態で連結されている。これら上側板部（１１）と下側板部（１２）は、いずれも内側に長円（１１ａ）（１２ａ）が穿設されており、ページの挟んだ部分の文字や図柄を閲覧できるようになっている。
【００２０】
また、前記上側板部（１１）の基端部は上方に突出するように形成されており、その突出部（１１ｂ）の上面において前記第２クリップ部（２）が開閉可能に設けられている。このように突出部（１１ｂ）が設けられることにより第２クリップ部（２）が第１クリップ部（１）に対して高い位置に配置されることになり、第２クリップ部（２）が複数ページを簡単に挟むことができる。
【００２１】
前記第２クリップ部（２）は、図４に示すように、平面視略コ字状に形成された針金部材からなり、その基端部は横方向に延びる回転軸（２１）（２１）が設けられている。そして、前記第１クリップ部（１）の突出部（１１ｂ）の上面に２個の筒状部（１３）（１３）が設けられ、それら筒状部（１３）（１３）に回転軸（２１）（２１）が回転可能に挿入されている。
【００２２】
また、前記筒状部（１３）（１３）の内側開口部付近の上部から下部にかけて長さが短くなるように形成されており、その形状により第２クリップ部（２）が閉じた状態（第１クリップ部（１）に対向する状態）において第２クリップ部（２）を適度な力で付勢する。そして、その形状による付勢力に抗するようにして第２クリップ部（２）を後側に開くと、同じく上記形状により第２クリップ部（２）を開いた状態において第２クリップ部（２）を適度な力で付勢する。これにより第２クリップ部（２）を閉じた場合にはページを確実に押さえることができるとともに、第２クリップ部（２）を簡単かつ確実に開くことができる。
【００２３】
なお、本実施形態では、上記筒状部（１３）（１３）の形状により第２クリップ部（２）を付勢するものとしたが、板バネやコイルバネなどのバネ部材により付勢するものとしてもよい。
【００２４】
また、第２クリップ部（２）は針金で形成されることにより、その内側が抜かれた状態となるので、第１クリップ部（１）と同様に挟んだ部分のページの文字や図柄を閲覧できるようになっている。
【００２５】
而して、本クリップ式しおり（Ａ）の使用に際しては、第１クリップ部（１）により本の表紙やページを挟み込んで固定した上で、所望のページにおいて第２クリップ部（２）を閉じれば、ページを確実に押さえることができる。また、ページを捲る際には、第２クリップ部（２）を付勢力に抗して９０度以上に開けば、クリップ全体を外すことなくページを簡単に捲ることができる。なお、このようにページを捲る場合には第２クリップ部（２）を開いてもよいが、一ページや少数枚のページを捲る場合には第２クリップ部（２）を開かなくても、第２クリップ部（２）を閉じた状態のままで滑らすようにページを捲ることができる。
【００２６】
次に本考案の第２の実施形態について説明する。
【００２７】
図５は、本実施形態に係るクリップ式しおり（Ｂ）の斜視図である。
【００２８】
このクリップ式しおり（Ｂ）は、第１クリップ部（１）が閉じた状態において側面視三角形状に形成されており、上側板部（１１）と下側板部（１２）の各先端部にはそれぞれ操作金具（１４）（１４）が設けられている。
【００２９】
この操作金具（１４）は、平面視略ひょうたん状に形成された針金部材からなり、その基端部は横方向に延びる回転軸（１４ａ）（１４ａ）が設けられている。そして、前記第１クリップ部（１）の各先端部に２個の筒状部（１５）（１５）が設けられ、それら筒状部（１５）（１５）に回転軸（１４ａ）（１４ａ）が回転可能に挿着されている。
【００３０】
なお、第２クリップ部（２）は、実施形態１と同様の構造により第１クリップ部（１）の上面において９０度以上に開くことが可能な態様で開閉可能に設けられている。
【００３１】
而して、図６（ａ）に示すように、両操作金具（１４）（１４）を開いて第１クリップ部（１）に対して力を加えれば、てこの原理により第１クリップ部（１）が開くので、積層体（Ｓ）を簡単に挟んでしおりを固定することができる。また、図６（ｂ）に示すように、さらに両操作金具（１４）（１４）を閉じれば、ページから操作金具（１４）（１４）が突出することなくページ内に収めることができる。さらに、図６（ｃ）に示すように、所定のページ上において第２クリップ部（２）を閉じれば、第１クリップ部（１）との間において一ないし複数のページを挟むことができる。
【００３２】
次に本考案の第３の実施形態について説明する。
【００３３】
図７は、本実施形態に係るクリップ式しおり（Ｃ）の側面図である。
【００３４】
このクリップ式しおり（Ｃ）は、第１クリップ部（１）の背面において上下に移動可能な移動板（１６）が設けられ、該移動板（１６）の上端部には第２クリップ部（２）が開閉可能に設けられている。すなわち、第１クリップ部（１）の背面の両側部において上下に延びる長孔（１７）が穿設され、移動板（１６）の下端部が該長孔（１７）に沿って移動し得るようにねじ（１６ａ）により固定されている。
【００３５】
なお、第２クリップ部（２）は、実施形態１と同様の構造により移動板部（１６）の上面において９０度以上に開くことが可能な態様で開閉可能に設けられている。
【００３６】
これによれば、第１クリップ部（１）と第２クリップ部（２）との間隔を簡単に調節することができ、ページ数の少ない薄い積層体（Ｓ）からページ数の多い厚い積層体（Ｓ）まで適用可能となる。なお、本実施形態では、移動板部を第１クリップ部（１）に移動可能に固定するためにねじを利用したが、第１クリップ部（１）の両側部に設けた係止片により移動板（１６）を移動可能に係止するものとしてもよい。
【００３７】
次に本考案の第４の実施形態について説明する。
【００３８】
図８は、本実施形態に係るクリップ式しおり（Ｄ）の斜視図である。
【００３９】
このクリップ式しおり（Ｄ）は、第１クリップ部（１）の背面においてペン（Ｐ）を保持するペンホルダー（１８）が設けられている。このペンホルダー（１８）は、上部が開口された略円筒状に形成されており、ゴムや合成樹脂などの伸縮性のある材質からなるのが好ましい。これによれば、本クリップ式しおり（Ｄ）にペン（Ｐ）を保持することができ便利である。
【００４０】
次に本考案の第５の実施形態について説明する。
【００４１】
図９は、本実施形態に係るクリップ式しおりの側面図である。
【００４２】
このクリップ式しおり（Ｅ）は、第１クリップ部（１）の下面において第３クリップ部（３）が開閉可能に設けられている。この第３クリップ部（３）は、上記第２クリップ部（２）と同様に、９０度以上に開くことが可能な態様で開閉可能に設けられ、かつ前記第１クリップ部（１）との間に１枚ないし複数枚のページを挟むものとなされている。これによれば、一つのしおりで２箇所のページを押さえることができ便利である。
【産業上の利用可能性】
【００４３】
本考案は、書籍、手帳、各種資料などの積層体において用いられるしおりに適用可能である。
【図面の簡単な説明】
【００４４】
【図１】本考案の第１の実施形態に係るクリップ式しおりの斜視図である。
【図２】図１のクリップ式しおりの側面図である。
【図３】図１のクリップ式しおりの使用状態を示す図である。
【図４】図１のクリップ式しおりの要部拡大図である。
【図５】本考案の第２の実施形態に係るクリップ式しおりの斜視図である。
【図６】図５のクリップ式しおりの取り付け方法を示す図である。
【図７】本考案の第３の実施形態に係るクリップ式しおりの一部断面側面図である。
【図８】本考案の第４の実施形態に係るクリップ式しおりの斜視図である。
【図９】本考案の第５の実施形態に係るクリップ式しおりの側面図である。
【符号の説明】
【００４５】
１・・・第１クリップ部
２・・・第２クリップ部
１１・・・上側板部
１２・・・下側板部
１３・・・筒状部
【図１】
0003114399.tif 000003
【図２】
0003114399.tif 000004
【図３】
0003114399.tif 000005
【図４】
0003114399.tif 000006
【図５】
0003114399.tif 000007
【図６】
0003114399.tif 000008
【図７】
0003114399.tif 000009
【図８】
0003114399.tif 000010
【図９】
0003114399.tif 000011